【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
可変表示を行い、有利条件が成立したことにもとづいて有利状態に制御する遊技機であって、
未だ開始していない可変表示を保留記憶として記憶する保留記憶手段と、
前記保留記憶手段に記憶されている保留記憶に対応して所定の表示態様で保留表示を表示する保留表示手段と、
前記有利状態に制御するか否かを決定する決定手段と、
前記決定手段による決定結果にもとづいて、可変表示の制御を行う可変表示制御手段と、
前記決定手段の決定前に、前記有利状態に制御されるか否かを判定する判定手段と、
コマンドを出力するコマンド出力手段と、
該コマンド出力手段が出力するコマンドに基づいて演出の制御を行なう演出制御手段とを備え、
前記演出制御手段は、
前記判定手段による判定結果にもとづいて、前記有利状態に制御される可能性を、判定対象となった保留記憶に対応する保留表示を通常態様とは異なる表示態様に変化させて表示することにより予告する予告演出を実行する予告演出実行手段と、
保留表示の表示態様が変化することを示唆する示唆演出を実行する示唆演出実行手段とを含み、
前記予告演出実行手段は、前記保留表示手段によって表示されている保留表示のうちのいずれの保留表示の表示態様を変化させるかによって前記有利状態に制御される可能性を異なる期待度により予告可能であり、
前記有利状態は、ラウンド遊技が実行される回数の異なる複数種類の有利状態を含み、
前記コマンド出力手段は、有利状態において最終回のラウンド遊技が実行されるときに、前記有利状態の種類に関わらず最終回のラウンド遊技であることを示す共通のコマンドを送信する、遊技機。
【請求項２】
前記示唆演出実行手段による前記示唆演出の実行を制限する示唆演出制限手段をさらに備える、請求項１に記載の遊技機。
【手続補正２】
【補正対象書類名】明細書
【補正対象項目名】０００９
【補正方法】変更
【補正の内容】
【０００９】
（１）  可変表示（例えば、第１特別図柄や第２特別図柄、演出図柄の変動表示）を行い、有利条件が成立したことにもとづいて有利状態（例えば、大当り遊技状態）に制御する遊技機であって、
未だ開始していない可変表示を保留記憶（例えば、第１保留記憶や第２保留記憶）として記憶する保留記憶手段（例えば、第１保留記憶バッファや第２保留記憶バッファ）と、
前記保留記憶手段に記憶されている保留記憶に対応して所定の表示態様により保留表示を表示する保留表示手段（例えば、合算保留記憶表示部１８ｃ）と、
前記有利状態に制御するか否かを決定する決定手段（例えば、遊技制御用マイクロコンピュータ５６０がステップＳ６１，Ｓ６２，Ｓ７３を実行する部分）と、
前記決定手段による決定結果にもとづいて、可変表示の制御を行う可変表示制御手段（例えば、演出制御用マイクロコンピュータ１００がステップＳ１８１３，Ｓ１８４５を実行する部分）と、
前記決定手段の決定前に、前記有利状態に制御されるか否かを判定する判定手段（例えば、遊技制御用マイクロコンピュータ５６０がステップＳ１２１７，Ｓ１２２８を実行する部分）と、
コマンドを出力するコマンド出力手段と、
該コマンド出力手段が出力するコマンドに基づいて演出の制御を行なう演出制御手段とを備え、
前記演出制御手段は、
前記判定手段による判定結果にもとづいて、前記有利状態に制御される可能性を、判定対象となった保留記憶に対応する保留表示を通常態様とは異なる表示態様（例えば、特殊態様や第１特別態様、第２特別態様）に変化させて表示することにより予告する予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）とを含み、
前記予告演出実行手段は、前記保留表示手段によって表示されている保留表示のうちのいずれの保留表示の表示態様を変化させるか（例えば、いずれのシフトタイミングで保留表示を変化させて表示するか）によって前記有利状態に制御される可能性を異なる期待度により予告可能であり（例えば、演出制御用マイクロコンピュータ１００が、最終表示態様と先読み演出パターンとにもとづいて、変化タイミングを決定する先読み演出決定処理（ステップＳ６７１，Ｓ６７１０８）を実行する部分と、先読み演出決定処理の決定結果にもとづいて、ステップＳ１８１３，Ｓ１８４５を実行する部分。図３５〜図３８参照）、
前記有利状態は、ラウンド遊技が実行される回数（たとえば、ラウンド数）の異なる複数種類の有利状態を含み、 
前記コマンド出力手段は、有利状態において最終回のラウンド遊技が実行されるときに、前記有利状態の種類に関わらず最終回のラウンド遊技であることを示す共通のコマンドを送信する。
【手続補正３】
【補正対象書類名】明細書
【補正対象項目名】００１０
【補正方法】変更
【補正の内容】
【００１０】
このような構成によれば、予告演出が実行されるときの保留表示にも関心を持たせることができ、さらに有利状態に制御される可能性を異なる期待度で予告することができるため、予告演出の興趣を高めることができる。
【手続補正４】
【補正対象書類名】明細書
【補正対象項目名】００１１
【補正方法】変更
【補正の内容】
【００１１】
（２）  上記（１）の遊技機において、
保留表示の表示態様は、前記通常態様と該通常態様とは異なる複数段階の表示態様（例えば、特殊態様や第１特別態様、第２特別態様）とを含み、
前記予告演出実行手段は、前記保留表示手段によって表示されている保留表示のうちに前記通常態様とは異なる表示態様で表示されている保留表示がある場合には、高い割合で前記通常態様とは異なる表示態様で表示されている保留表示を現段階よりも高い段階の表示態様に変化させる（例えば、演出制御用マイクロコンピュータ１００が、第３先読み演出パターン（通常態様から特別態様に変化する）よりも第２先読み演出パターン（通常態様から特殊態様、特殊態様から特別態様に変化する）に決定されやすい先読み演出パターン決定テーブルを用いて先読み演出パターンを決定するとともに、保留表示変化中フラグがセットされているか否かにもとづいて、判定値が異なる割合で設定された先読み演出実行決定テーブルと、先読み演出パターン変化タイミング決定テーブルとを選択して用いて、先読み演出の実行の有無と実行する場合の変化タイミングとを決定する先読み演出決定処理（ステップＳ６７１，Ｓ６７１０４，Ｓ６７１０７，Ｓ６７１０８）を実行する部分と、先読み演出決定処理の決定結果にもとづいて、ステップＳ１８１３，Ｓ１８４５を実行する部分。図３３〜図３８参照）。
【手続補正５】
【補正対象書類名】明細書
【補正対象項目名】００１３
【補正方法】変更
【補正の内容】
【００１３】
（３）  上記（１）または（２）の遊技機において、
前記予告演出実行手段は、保留表示を前記通常態様とは異なる表示態様である複数種類の特別態様（第１特別態様または第２特別態様）のいずれかに変化させる予告演出を実行可能であり、
保留表示の表示態様は、前記通常態様に比べて前記特別態様に変化しやすい特殊態様を含み、
前記予告演出実行手段は、前記通常態様で表示されている保留表示を前記特別態様に変化させて表示するときと、前記特殊態様で表示されている保留表示を前記特別態様に変化させて表示するときとで、異なる割合で複数種類の前記特別態様のいずれかに変化させる（例えば、演出制御用マイクロコンピュータ１００が、最終表示態様にもとづいて、先読み演出パターンを決定する先読み演出決定処理（ステップＳ６７１，Ｓ６７１０６，Ｓ６７１０７）を実行する部分と、先読み演出決定処理の決定結果にもとづいて、ステップＳ１８１３，Ｓ１８４５を実行する部分。図３４参照）。
【手続補正６】
【補正対象書類名】明細書
【補正対象項目名】００１４
【補正方法】変更
【補正の内容】
【００１４】
このような構成によれば、有利状態に制御される可能性を異なる期待度で予告することができ、予告演出の興趣を高めることができる。